(57)【要約】      （修正有）【課題】貯蔵室内に着脱可能な収納容器であって保冷性に優れたものを備える冷蔵庫を提供する。【解決手段】内部に貯蔵物Ｄを収納する貯蔵室と、前記貯蔵室内に着脱可能に設けられた収納容器５０とを備え、前記収納容器の少なくとも一部に断熱材７０が配置され、前記収納容器内に保冷剤を収納する保冷剤収納部７５が形成されている。【選択図】図７
2017058105.tif 000002
【特許請求の範囲】
【請求項１】
内部に貯蔵物を収納する貯蔵室と、前記貯蔵室内に着脱可能に設けられた収納容器とを備え、前記収納容器の少なくとも一部に断熱材が配置され、前記収納容器内に保冷剤を収納する保冷剤収納部が形成されている冷蔵庫。
【請求項２】
前記収納容器内の上方の部分に前記保冷剤収納部が形成されている、請求項１に記載の冷蔵庫。
【請求項３】
前記収納容器が、前面に開口部が設けられた直方体状の本体と、前記開口部を開閉する蓋体と、前記蓋体の上部の左右両側から前記本体へ向けて突出するスライド軸と、前記本体の上部の前側に設けられ前記蓋体が前記開口部を閉塞する状態において前記スライド軸が嵌るスライド軸受部と、前記本体の上部において前記スライド軸受部から後方へ延びるガイド溝とを備え、
前記蓋体が前記開口部を閉塞する状態から前記スライド軸が前記スライド軸受部内で回転することにより前記開口部が開放され、前記スライド軸が前記ガイド溝内を後方へ摺動することにより前記蓋体が前記本体の上方に保持される、請求項１又は２に記載の冷蔵庫。
【請求項４】
前記本体に断熱材が配置され、前記蓋体に断熱材が配置されていない、請求項３に記載の冷蔵庫。
【請求項５】
前記貯蔵室の前面開口部を開閉する扉を備え、
前記収納容器が前記扉の庫内側に着脱可能な、請求項１〜４のいずれか１項に記載の冷蔵庫。
【請求項６】
前記蓋体が透明である、請求項３又は４に記載の冷蔵庫。
【請求項７】
前記本体内の底面全面が断熱材で覆われている、請求項３又は４に記載の冷蔵庫。
【発明の詳細な説明】
【技術分野】
【０００１】
本発明の実施形態は冷蔵庫に関する。
【背景技術】
【０００２】
貯蔵室の前面開口部を開閉する扉の貯蔵室側に収納容器が設けられた冷蔵庫が存在する（例えば特許文献１参照）。
【０００３】
このような収納容器を扉に対して着脱可能とすることが検討されている。そのようにすれば、例えば、収納容器を扉から取り外してテーブル等へ移動させることにより、収納容器内で冷やした貯蔵物を収納容器ごとテーブル等へ移動させるという使用が可能となる。
【先行技術文献】
【特許文献】
【０００４】
【特許文献１】実願平２−５４００１号（実開平４−１４９９２号）のマイクロフィルム
【発明の概要】
【発明が解決しようとする課題】
【０００５】
しかし、収納容器を冷蔵庫外へ取り出して時間が経過すると、収納容器内の貯蔵物が暖まってしまう。
【０００６】
そこで本発明は、貯蔵室内に着脱可能な収納容器であって保冷性に優れたものを備える冷蔵庫を提供することを課題とする。
【課題を解決するための手段】
【０００７】
実施形態の冷蔵庫は、内部に貯蔵物を収納する貯蔵室と、前記貯蔵室内に着脱可能に設けられた収納容器とを備え、前記収納容器の少なくとも一部に断熱材が配置され、前記収納容器内に保冷剤を収納する保冷剤収納部が形成されている。
【図面の簡単な説明】
【０００８】
【図１】実施形態の冷蔵庫１０の扉を開放した状態での斜視図。
【図２】実施形態の収納容器５０の開口部５２が閉じた状態での斜視図。
【図３】実施形態の収納容器５０の開口部５２が開いた状態での斜視図。
【図４】実施形態の収納容器５０の右側からの側面図。
【図５】図４のＡ−Ａ断面図。
【図６】実施形態の収納容器５０の貯蔵物Ｄが収納され開口部５２が開いた状態での斜視図。
【図７】実施形態の収納容器５０の左右方向中央部での前後方向の断面図。
【発明を実施するための形態】
【０００９】
本実施形態の冷蔵庫１０について図面に基づき説明する。なお以下の説明において前後左右とは、冷蔵庫１０の扉を開放した利用者から見た場合の表現である。
【００１０】
本実施形態に係る冷蔵庫１０は、図１に示すように、冷蔵庫１０の外郭を形成する外箱と、貯蔵空間が形成されている内箱とが組み合わさった断熱箱体１２を備える。外箱と内箱との間には発泡断熱材等が充填されている。貯蔵空間は下側の冷蔵室１４と上側の冷凍室１６の２つの貯蔵室に区画されている。
【００１１】
貯蔵室の背後には冷却器室が設けられており、冷却器室内には冷気を発生させる冷却器が設けられている。この冷却器で発生した冷気が冷蔵室１４及び冷凍室１６へ送られ、冷蔵室１４が冷蔵温度（例えば２〜３℃）に、冷凍室１６が冷凍温度（例えば−１８℃以下）に、それぞれ冷却される。
【００１２】
冷蔵室１４は、その開口部にヒンジで取り付けられた冷蔵室扉２０により、開閉可能となっている。また冷凍室１６は、その開口部にヒンジで取り付けられた冷凍室扉４０により、開閉可能となっている。冷蔵室扉２０及び冷凍室扉４０の庫内側の面には、それぞれ上方に開口した１又は２以上のドアポケット３０が取り付けられている。また冷蔵室扉２０の庫内側の面には後述する収納容器５０が取り付けられている。
【００１３】
冷蔵室扉２０の庫内側の面の左右両側には、冷蔵室扉２０全体にわたって上下方向に延びる側部ビード部２１が庫内側に突出している。また２つの側部ビード部２１の間には、冷蔵室扉２０の上部から中央部にわたって上下方向に延びる中央ビード部２２が庫内側に突出している。
【００１４】
一対の側部ビード部２１と中央ビード部２２の対向面、つまり一対の側部ビード部２１の内側面と中央ビード部２２の左右両側面には、ドアポケット３０及び収納容器５０を着脱可能な複数の取付手段２４が設けられている。そのため、使用者がドアポケット３０及び収納容器５０の配置を変更することができる。
【００１５】
図２〜図７に示すように、収納容器５０は、前方に開口部５２が設けられた収納容器本体５１と、開口部５２を開閉する蓋体６０とを備える。収納容器５０は例えば合成樹脂で出来ている。
【００１６】
収納容器本体５１は直方体状であり、底壁５１ａ、前壁５１ｂ、左右の側壁５１ｃ、後壁５１ｄ、上壁５１ｅを有する。ここで直方体状とは、略直方体の形状を意味し、直方体の角部や辺部が丸みを帯びている形状や、直方体に対し機能上や装飾上等の目的で凹部や凸部が設けられている形状や、直方体の一部の面が傾斜している形状等が含まれる。また収納容器本体５１の内面又は外面の少なくとも一方が直方体状であれば良い。
【００１７】
収納容器本体５１の開口部５２は前壁５１ｂの上方に設けられている。また、収納容器５０の収納容器本体５１の左右の側壁５１ｃの上部には、外方に突出する鍔部５３ａが設けられている。鍔部５３ａは側壁５１ｃの前後方向の全体にわたって設けられている。また、収納容器本体５１の左右の側壁５１ｃの下部には、外方に突出する鍔部５３ｂが設けられている。鍔部５３ｂは側壁５１ｃの前後方向に延長されて設けられている。
【００１８】
図４、図５に示すように、左右の側壁５１ｃの上側の鍔部５３ａより上方の位置には、収納容器本体５１の内方へ凹んだスライド軸受部５４とガイド溝５５とが設けられている。スライド軸受部５４が前方に設けられ、その後方に連続してガイド溝５５が設けられている。ガイド溝５５の溝幅つまり上下方向の長さは狭く、スライド軸受部５４の溝幅はガイド溝５５の溝幅より広くなっている。
【００１９】
側壁５１ｃの鍔部５３ａ及び鍔部５３ｂの後部の下側には、それぞれ係止部５６が設けられている。係止部５６は、冷蔵室扉２０の側部ビード部２１及び中央ビード部２２の取付手段２４に嵌り込む。これにより収納容器５０は冷蔵室扉２０の庫内側に着脱可能となっている。なおドアポケット３０にも同じ係止部５６が設けられている。
【００２０】
蓋体６０は、収納容器本体５１の開口部５２を閉塞した状態において開口部５２の前方部分を覆う板部６１と、その状態において板部６１の左右両端部からそれぞれ後方へ突出するフランジ部６２とを備える。板部６１とフランジ部６２とで開口部５２を閉塞することができる。左右のフランジ部６２から収納容器本体５１へ向かってそれぞれスライド軸６３が突出している。開口部５２の閉塞状態においてスライド軸６３は収納容器本体５１のスライド軸受部５４に挿入されている。開口部５２の閉塞状態における蓋体６０の位置は図４に二点鎖線で示されている。蓋体６０は透明であることが望ましい。
【００２１】
収納容器本体５１の開口部５２を開放する場合は、蓋体６０のスライド軸６３を収納容器本体５１のスライド軸受部５４内で回転させて、図４に示すように蓋体６０を上方へ持ち上げる。開放状態を維持するためには、その後、蓋体６０のスライド軸６３を、スライド軸受部５４内からガイド溝５５内へ向かって摺動させ、さらにガイド溝５５内を後方へ向かって摺動させることにより、蓋体６０を収納容器本体５１の上方の位置に押し込む。すると蓋体６０は収納容器本体５１の上方の位置で保持される。そのため開口部５２の開放状態が維持される。開口部５２を閉塞する場合は蓋体６０を以上と逆に移動させる。
【００２２】
図７に示すように、収納容器本体５１の内側には断熱材７０が配置されている。断熱材７０が配置される場所は限定されないが、収納容器本体５１内の底面（底壁５１ａの上面）全体が収納容器５０内側から断熱材７０で覆われていることが望ましく、図７に示すように収納容器本体５１の全ての壁が収納容器本体５１の内側から断熱材７０で覆われていることがさらに望ましい。本実施形態では蓋体６０には断熱材７０が配置されていない。断熱材７０としては、例えば発泡ポリスチレンや発泡ウレタン等の発泡樹脂の成型品や、グラスウール等の繊維系断熱材が袋や容器に収納されたもの等が挙げられる。このような断熱材７０が、例えば接着剤により収納容器本体５１の内面に接着され、固定されている。
【００２３】
収納容器本体５１の底壁５１ａ上に設けられた断熱材７０の上には、下敷き７１が設けられていることが望ましい。下敷き７１としては、有機繊維製等のシートや板状のインジェクション部品等が挙げられる。この場合貯蔵物Ｄは下敷き７１の上に載ることになる。
【００２４】
収納容器本体５１内の後方の場所には仕切り板７６が立ち上がっている。仕切り板７６より後方の空間は、保冷剤を収納可能な保冷剤収納部７５となっている。保冷剤収納部７５には市販の保冷剤を収納することができる。
【００２５】
本実施形態の場合は、図６及び図７に示すように、収納容器５０は内部に貯蔵物Ｄとして飲料の缶を左右に並べて収納することができる。
【００２６】
以上の構造の本実施形態の冷蔵庫１０では、収納容器５０が冷蔵室１４内に着脱可能であるため、利用者は収納容器５０を冷蔵室１４から出してテーブル等に移動させて利用することができる。ここで、収納容器５０には断熱材７０が配置されているため、収納容器５０は保冷性に優れている。そのため利用者が収納容器５０を冷蔵室１４から出した場合でも、収納容器５０内の貯蔵物Ｄが冷たいまま保持される。
【００２７】
また、収納容器５０には保冷剤収納部７５が形成されているため、保冷剤収納部７５に保冷剤を収納しておくことにより、収納容器５０の保冷性をより高めることができる。
【００２８】
また、収納容器５０は収納容器本体５１とその開口部５２を開閉する蓋体６０とを備えるため、収納容器５０を冷蔵室１４から出したときに開口部５２を蓋体６０で閉じて収納容器５０から冷気が逃げないようにすることができ、収納容器５０内の貯蔵物Ｄを冷たいまま保持することができる。また、蓋体６０は収納容器本体５１の上方で保持可能であるため、収納容器本体５１の開口部５２を開いたままにしておくことができる。そのため、利用者が収納容器５０を開口部５２が開いたままの状態で冷蔵室１４内に入れておくことにより、収納容器５０内を早く冷やすことができる。ここで、開口部５２が収納容器本体５１の前方の部分にあるため、収納容器５０が冷蔵室扉２０に取り付けられていれば、冷蔵室１４の奥から送られて来る冷気が収納容器５０に入り易い。そのため収納容器５０内を早く冷やすことができる。
【００２９】
また、蓋体６０が透明であれば、利用者が開口部５２を開かずに収納容器５０の内部を見ることができる。そのため利用者が収納容器５０の内部を見るためだけに開口部５２を開くことを防ぐことができ、収納容器５０内の冷気が逃げることを防ぐことができる。また、収納容器本体５１に断熱材７０が配置され、蓋体６０に断熱材７０が配置されていなければ、断熱材７０による保冷性に加えて、利用者が開口部５２を開かずに蓋体６０を通して収納容器５０の内部を見ることができることもあって、収納容器５０が保冷性に優れたものとなる。
【００３０】
また、収納容器本体５１内の底面全体が断熱材７０で覆われていれば、収納容器５０内から収納容器５０の底面５０ａにかけての断熱性が良いため、収納容器５０の底面５０ａが結露することを防ぐことができ、収納容器５０が置かれたテーブル等が濡れることを防ぐことができる。また、収納容器５０が置かれたテーブル等の熱が収納容器５０内に伝わり収納容器５０内の貯蔵物Ｄが暖まることを防ぐことができる。
【００３１】
また、収納容器本体５１の底壁５１ａ上の断熱材７０の上に下敷き７１が設けられていれば、収納容器５０内で貯蔵物Ｄが結露して水滴が発生したとしても、貯蔵物Ｄの下の断熱材７０が濡れてカビが発生することを防ぐことができる。
【００３２】
本実施形態に対し次のような変更を加えることができる。
【００３３】
断熱材７０は収納容器本体５１だけでなく蓋体６０にも配置されていても良い。断熱材７０が蓋体６０にも配置されていれば、収納容器５０の保冷性がさらに優れたものとなる。また、断熱材７０が蓋体６０に配置されることにより、収納容器５０の内面全体が断熱材７０で覆われていることが望ましい。
【００３４】
また、収納容器本体５１の内側にインジェクション部品が設けられ、収納容器本体５１の壁とインジェクション部品との間に断熱材７０が設けられても良い。インジェクション部品としては、例えば、収納容器本体５１より一回り小さく収納容器本体５１と略同じ形状のもので、収納容器本体５１内に収まるものが挙げられる。このインジェクション部品が収納容器本体５１の内側に設けられた場合は、インジェクション部品と収納容器本体５１の各壁との間に断熱材７０が設けられ、インジェクション部品の内部に貯蔵物Ｄが収納される。
【００３５】
保冷剤収納部は市販の保冷剤を収納可能な構造となっていれば良く、上記実施形態の構造に限定されない。例えば、収納容器本体５１内に保冷剤収納部としての袋（例えばアルミニウム蒸着層と発泡樹脂シートと樹脂フィルムとの積層体からなる袋）が設けられていても良い。また、収納容器本体５１内の所定の場所に着脱可能なバンドで保冷剤を固定する構造となっていても良い。
【００３６】
保冷剤収納部の場所も限定されない。保冷剤収納部の場所は例えば収納容器５０内の上方の場所であっても良い。その場合、収納容器本体５１の上壁５１ｅの下面側（上壁５１ｅの下面に断熱材７０が設けられている場合はその断熱材７０の下面側）に、保冷剤収納部としての引き出し式の容器が設けられていても良い。このように収納容器５０内の上方の部分に保冷剤収納部が形成されている場合、収納容器５０内の貯蔵物Ｄが収納される空間よりも上方に保冷剤収納部が存在することになる。そのため、収納容器５０内に貯蔵物Ｄが存在しても、その貯蔵物Ｄを取り出すことなく保冷剤収納部に保冷剤を出し入れすることができる。
【００３７】
保冷剤収納部の場所がいずれの場所であっても、保冷剤収納部と収納容器本体５１の壁との間には断熱材７０が設けられていることが望ましい。また保冷剤収納部と収納容器本体５１の壁との間の断熱材７０の厚みは、他の場所における断熱材７０の厚みよりも厚いことが望ましい。それにより、保冷剤収納部付近の断熱性が高まるため、収納容器５０が貯蔵室の外へ出されたときに、収納容器本体５１の保冷剤収納部付近の部分が結露することを防ぐことができる。
【００３８】
保冷剤収納部は蓋体６０に設けられていても良い。ただしその場合も保冷剤収納部と蓋体６０との間に断熱材７０が設けられていることが望ましい。さらに保冷剤収納部と蓋体６０との間の断熱材７０は他の場所における断熱材７０よりも厚いことが望ましい。
【００３９】
収納容器５０を取り付けることができる場所は、冷蔵庫１０のいずれかの貯蔵室内のいずれかの場所であれば良い。また１つの冷蔵庫１０に複数の収納容器５０が設けられていても良い。
【００４０】
以上の実施形態は例示であり、発明の範囲はこれに限定されない。以上の実施形態に対して、発明の要旨を逸脱しない範囲で、種々の省略、置換、変更を行うことができる。以上の実施形態やその変形は、特許請求の範囲に記載された発明及びその均等の範囲に含まれる。
【符号の説明】
【００４１】
１０…冷蔵庫、１２…断熱箱体、１４…冷蔵室、１６…冷凍室、２０…冷蔵室扉、２１…側部ビード部、２２…中央ビード部、２４…取付手段、３０…ドアポケット、４０…冷凍室扉、５０…収納容器、５０ａ…収納容器５０の底面、５１…収納容器本体、５１ａ…底壁、５１ｂ…前壁、５１ｃ…側壁、５１ｄ…後壁、５１ｅ…上壁、５２…開口部、５３ａ、５３ｂ…鍔部、５４…スライド軸受部、５５…ガイド溝、５６…係止部、６０…蓋体、６１…板部、６２…フランジ部、６３…スライド軸、７０…断熱材、７１…下敷き、７５…保冷剤収納部、７６…仕切り板、Ｄ…貯蔵物
【図１】
2017058105.tif 000003
【図２】
2017058105.tif 000004
【図３】
2017058105.tif 000005
【図４】
2017058105.tif 000006
【図５】
2017058105.tif 000007
【図６】
2017058105.tif 000008
【図７】
2017058105.tif 000009